(57)【要約】【課題】  自走車体の運転座席４の後部に肥料タンク２１、及び、肥料タンク２１の下部に連結した繰り出し機構３０を設けた乗用型田植機において、運転部から繰り出し機構３０を運転部から容易に点検することができるようにする。【解決手段】  肥料タンク２１及び繰り出し機構３０が連結している可動側フレーム６５を、車体フレーム５に固定の固定側フレーム６０に対して車体横向きの軸芯５５ａまわりで回動自在に連結してある。肥料タンク２１及び繰り出し機構３０は、軸芯５５ａまわりで揺動操作することにより、肥料タンク２１と繰り出し機構３０が車体上下方向に並ぶ起立取り付け状態と、肥料タンク２１が起立取り付け状態から車体後方側に揺動して繰り出し機構３０が肥料タンク２１から車体前方向きに突出する状態に倒伏した倒伏取り付け状態とに切り換わる。【選択図】        図８
2005204540.tif 000002
【特許請求の範囲】
【請求項１】
自走車体の後部にリンク機構を介して昇降操作自在に苗植付け装置を連結し、肥料タンク、及び、この肥料タンクの肥料を繰り出して苗植付け装置に供給するように前記肥料タンクの下部に連結した繰り出し機構を備えた施肥装置を、前記自走車体の運転座席の後側に設けた施肥装置付き乗用型田植機であって、
前記肥料タンク及び前記繰り出し機構を、車体横向きの軸芯まわりで一体に車体前後方向に揺動自在に連結するとともに肥料タンクと繰り出し機構が車体上下方向に並ぶ状態に起立した起立取り付け状態と、肥料タンクが前記起立取り付け状態から車体後方側に揺動して繰り出し機構が肥料タンクから車体前方向きに突出する状態に倒伏した倒伏取り付け状態とに切り換わるように構成してある施肥装置付き乗用型田植機。
【請求項２】
前記繰り出し機構に肥料搬送風を供給する送風管、及びこの送風管に肥料搬送風を供給する送風装置を、前記肥料タンク及び前記繰り出し機構と一体揺動自在に連結してある請求項１記載の施肥装置付き乗用型田植機。
【請求項３】
前記繰り出し機構の繰り出しケースを、前記肥料タンクに連結した上部ケース部分と、前記苗植付け装置に肥料供給する送り出し口を有した下部ケース部分とに分割自在に構成してある請求項１又は２記載の施肥装置付き乗用型田植機。
【請求項４】
前記送風装置がエンジン排熱で加熱された空気を吸引するように送風装置の吸気口から延出する吸気ダクトを設け、前記吸気ダクトを自走車体に支持させるとともに、前記吸気ダクトと、前記送風装置の吸気口とを接続する可撓性ダクトを設けてある請求項２又は３記載の施肥装置付き乗用型田植機。
【請求項５】
前記肥料タンク及び前記繰り出し機構を前記倒伏取り付け状態に固定するロック状態と、ロック解除状態とに切り換え自在なロック手段を設けてある請求項１〜４のいずれか１項に記載の施肥装置付き乗用型田植機。
【請求項６】
前記運転座席の横側方に作業用ステップを設け、前記肥料タンク及び前記繰り出し機構が前記起立取り付け状態から前記倒伏取り付け状態に切り換わることにより、前記繰り出し機構の付属装置が前記作業用ステップから上方に離間するように構成してある請求項１〜５のいずれか１項に記載の施肥装置付き乗用型田植機。
【請求項７】
前記苗植付け装置が上昇非作業状態にあると、前記肥料タンク及び前記繰り出し機構が前記倒伏取り付け状態に切り換わることを許容し、前記苗植付け装置が下降作業状態にあると、前記肥料タンク及び前記繰り出し機構が前記倒伏取り付け状態に切り換わることを阻止する牽制手段を設けてある請求項１〜６のいずれか１項に記載の施肥装置付き乗用型田植機。
【請求項８】
前記運転座席を、上昇格納姿勢と下降使用姿勢とに揺動切り換え自在な状態で、かつ、前記肥料タンク及び前記繰り出し機構が前記倒伏取り付け状態にあれば、前記繰り出し機構又はこれの付属装置に当接して前記下降使用姿勢に下降しない状態に取り付けてある請求項１〜７のいずれか１項に記載の施肥装置付き乗用型田植機。
【発明の詳細な説明】
【技術分野】
【０００１】
本発明は、自走車体の後部にリンク機構を介して昇降操作自在に苗植付け装置を連結し、肥料タンク、及び、この肥料タンクの肥料を繰り出して苗植付け装置に供給するように前記肥料タンクの下部に連結した繰り出し機構を備えた施肥装置を、前記自走車体の運転座席の後側に設けた施肥装置付き乗用型田植機に関する。
【背景技術】
【０００２】
上記乗用型田植機において、従来、たとえば特許文献１に示されるように、繰り出しケース３８（繰り出し機構に相当）の前面に固設の回動板１０１が、前横フレーム４８に固設のブラケット１００に対して支点軸１０２を介して回動自在に連結し、ホッパ３７（肥料タンクに相当）及び繰り出しケース３８を、繰り出しケース３８が底蓋５４に連結した状態と、繰り出しケース３８が底蓋５４から分離して支点軸１０２を中心として前方に回動した状態とに切り換えることが可能になったものがあった。
【０００３】
【特許文献１】特開２００２−１１９１０９号公報（  〔００２３〕欄、図９  ）
【発明の開示】
【発明が解決しようとする課題】
【０００４】
上記田植機おいて、繰り出し機構や付属装置の点検や修理などが必要になることがある。上記した従来の技術を採用して施肥装置を装備した場合、肥料タンクを倒伏させて肥料タンクによる繰り出し機構の上方の覆いが極力解除された状態にしても、繰り出し機構が肥料タンクに対して運転座席が位置する側とは反対側に位置する状態になり、運転座席と繰り出し機構の間に位置する肥料タンクのために、運転部から繰り出し機構に手が届きにくくなったり、運転部から繰り出し機構が見えにくくなってメンテナンス作業を行ないにくくなることがあった。
【０００５】
本発明の目的は、肥料タンク及び繰り出し機構を揺動自在に取り付けるものでありながら、メンテナンス作業が行いやすい施肥装置付き乗用型田植機を提供することにある。
【課題を解決するための手段】
【０００６】
本第１発明にあっては、自走車体の後部にリンク機構を介して昇降操作自在に苗植付け装置を連結し、肥料タンク、及び、この肥料タンクの肥料を繰り出して苗植付け装置に供給するように前記肥料タンクの下部に連結した繰り出し機構を備えた施肥装置を、前記自走車体の運転座席の後側に設けた施肥装置付き乗用型田植機において、
前記肥料タンク及び前記繰り出し機構を、車体横向きの軸芯まわりで一体に車体前後方向に揺動自在に連結するとともに肥料タンクと繰り出し機構が車体上下方向に並ぶ状態に起立した起立取り付け状態と、肥料タンクが前記起立取り付け状態から車体後方側に揺動して繰り出し機構が肥料タンクから車体前方向きに突出する状態に倒伏した倒伏取り付け状態とに切り換わるように構成してある。
【０００７】
すなわち、肥料タンク及び繰り出し機構を倒伏取り付け状態に切り換えると、繰り出し機構が肥料タンクから車体前方向きに突出する状態になり、肥料タンクによる繰り出し機構の上方の覆いが極力解除された状態になるのみならず、肥料タンクが繰り出し機構に対して運転座席が位置する側とは反対側に位置して運転部から繰り出し機構を取り扱ったり見たりすることの障害になりにくくなる。
【０００８】
従って、本第１発明によれば、肥料タンク及び繰り出し機構を起伏揺動させて楽に作業用状態としての起立取り付け状態と、メンテナンス用状態としての倒伏取り付け状態とに切り換えることができるものでありながら、メンテナンス作業を行なうに当たり、肥料タンクによる繰り出し機構上方の覆いが極力解除されて作業しやすくなるのみならず、肥料タンクが障害になりにくくて繰り出し機構を運転部から取り扱いやすいとともに見やすくなり、能率よく作業をすることができる。
【０００９】
本第２発明にあっては、本第１発明の構成において、前記繰り出し機構に肥料搬送風を供給する送風管、及びこの送風管に肥料搬送風を供給する送風装置を、前記肥料タンク及び前記繰り出し機構と一体揺動自在に連結してある。
【００１０】
すなわち、送風管や送風装置を分離させて肥料タンク及び繰り出し機構の起伏揺動を可能にするものであれば、その分離手間が必要になる。これに対し、送風管及び送風装置を肥料タンク及び繰り出し機構と一体揺動自在に連結してあるものだから、送風管及び送風装置を分離させる手間を掛けなくとも、肥料タンク及び繰り出し機構を起伏揺動させることができる。
【００１１】
従って、本第２発明によれば、肥料搬送風を利用して施肥作業するものでありながら、メンテナンス作業を行なうに当たり、繰り出し機構を運転部から容易に取り扱うとともに見て能率よく作業をすることができるのみならず、送風管や送風装置を取り外す手間を掛けなくて済んでこの面からも能率よく作業をすることができる。
【００１２】
本第３発明にあっては、本第１又は第２発明の構成において、前記繰り出し機構の繰り出しケースを、前記肥料タンクに連結した上部ケース部分と、前記苗植付け装置に肥料供給する送り出し口を有した下部ケース部分とに分割自在に構成してある。
【００１３】
すなわち、肥料タンク及び繰り出し機構を倒伏取り付け状態にして点検や修理することができるのみならず、倒伏取り付け状態にした繰り出しケースを上部ケース部分と下部ケース部分とに分離させることにより、繰り出し機構の内部を開放して内部も点検や修理しやすくなるものである。
【００１４】
従って、本第３発明によれば、肥料タンク及び繰り出し機構を倒伏取り付け状態に切り換えて繰り出し機構を運転部から容易に取り扱うとともに見て能率よくメンテナンス作業をすることができるのみならず、繰り出しケースの内部も開放して内部のメンテナンス作業も能率よく行なうことができる。
【００１５】
本第４発明にあっては、本第２又は３発明の構成において、前記送風装置がエンジン排熱で加熱された空気を吸引するように送風装置の吸気口から延出する吸気ダクトを設け、前記吸気ダクトを自走車体に支持させるとともに、前記吸気ダクトと、前記送風装置の吸気口とを接続する可撓性ダクトを設けてある。
【００１６】
すなわち、吸気ダクトを自走車体に支持させて吸気ダクトが振動しにくいように強固に支持させながら温度の高い空気を送風装置に吸引させることができる。肥料タンク及び繰り出し機構を起伏揺動させるに当たり、吸気ダクトと送風装置が接続されたままであっても、可撓性ダクトが撓むことによって起伏揺動させることができるものである。
【００１７】
従って、本第４発明によれば、エンジン排熱によって加熱された空気を送風装置に吸引させて温度の高い肥料搬送風を利用することができながら、かつ、吸気ダクトを振動しにくいように強固に支持させることができながら、吸気ダクトを分離させる手間を掛けなくとも肥料タンク及び繰り出し機構を起伏揺動させてメンテナンス作業を能率よく行なうことができる。
【００１８】
本第５発明にあっては、本第１〜第４発明のいずれか一つの構成において、前記肥料タンク及び前記繰り出し機構を前記倒伏取り付け状態に固定するロック状態と、ロック解除状態とに切り換え自在なロック手段を設けてある。
【００１９】
すなわち、倒伏取り付け状態に切り換えた肥料タンク及び繰り出し機構を、ロック手段によって倒伏取り付け状態に固定し、倒伏取り付け状態から起立取り付け状態に変化しないように支持する手間を掛けなくとも、倒伏取り付け状態に保持しながらメンテナンス作業を行なうことができる。
【００２０】
従って、本第５発明によれば、肥料タンク及び繰り出し機構を倒伏取り付け状態に保持する手間を要しないで楽にメンテナンス作業を行なうことができる。
【００２１】
本第６発明にあっては、本第１〜第５発明のいずれか一つの構成において、前記運転座席の横側方に作業用ステップを設け、前記肥料タンク及び前記繰り出し機構が前記起立取り付け状態から前記倒伏取り付け状態に切り換わることにより、前記繰り出し機構の付属装置が前記作業用ステップから上方に離間するように構成してある。
【００２２】
すなわち、肥料タンク及び繰り出し機構を倒伏取り付け状態に切り換えると、繰り出し機構の付属装置が作業用ステップから上方に離間し、作業用ステップを脱着するためのスペースを付属装置の下方に確保することができるものである。
【００２３】
従って、本第６発明によれば、作業用ステップを交換するなどに当たり、肥料タンク及び繰り出し機構を倒伏取り付け状態に切り換えることによって脱着用スペースが確保でき、繰り出し機構や付属装置を取り外す手間を掛けないで楽にかつ能率よく脱着作業をすることができる。
【００２４】
本第７発明にあっては、本第１〜第６発明のいずれか一つの構成において、前記苗植付け装置が上昇非作業状態にあると、前記肥料タンク及び前記繰り出し機構が前記倒伏取り付け状態に切り換わることを許容し、前記苗植付け装置が下降作業状態にあると、前記肥料タンク及び前記繰り出し機構が前記倒伏取り付け状態に切り換わることを阻止する牽制手段を設けてある。
【００２５】
すなわち、肥料タンク及び繰り出し機構が倒伏取り付け状態に切り換えられると、繰り出し機構から苗植付け装置に肥料供給するように延出されている施肥ホースが自走車体の方に引き寄せられる事態が発生する。このため、作業時に繰り出し機構から苗植付け装置に肥料供給するための供給路の長さが極力短くなるようにした場合、苗植付け装置を下降作業状態にしたたまで肥料タンク及び繰り出し機構が倒伏取り付け状態に切り換えられると、施肥ホースが変形したり外れたりする事態が発生しやすくなる。この種の田植機にあっては、苗植付け装置を上昇非作業状態に上昇させると、下降作業状態に下降させた場合よりも自走車体に近づくことから、作業時において肥料供給路の長さが極力短くなるようにしても、苗植付け装置を上昇非作業状態に上昇させた状態にしておけば、施肥ホースの変形や離脱を発生しにくくしながら、肥料タンク及び繰り出し機構を倒伏取り付け状態に切り換えることができる。
【００２６】
本第７発明は、苗植付け装置が下降作業状態にあると、牽制手段のために肥料タンク及び繰り出し機構を倒伏取り付け状態に切り換えることが阻止され、苗植付け装置が上昇非作業状態にあると、肥料タンク及び繰り出し機構を倒伏取り付け状態に切り換えることが許容されるものであるから、作業時には肥料繰り出し装置から苗植付け装置に極力短い距離の供給路で肥料供給されるようにしても、メンテナンス作業を行なう際、苗植付け装置を上昇非作業状態に上昇させて施肥ホースの変形や離脱を発生しにくくしながら、肥料タンク及び繰り出し機構を倒伏取り付け状態に切り換えられるようにすることができる。
【００２７】
従って、本第７発明によれば、作業時には肥料繰り出し装置から苗植付け装置に極力短い距離の供給路で迅速かつスムーズに肥料供給することができながら、肥料タンク及び繰り出し機構を倒伏取り付け状態に切り換えてメンテナンス作業を行なうのに、施肥ホースが変形したり外れたりするトラブルを発生しにくくしながら行なうことができる。
【００２８】
本第８発明にあっては、本第１〜第７発明のいずれか一つの構成において、前記運転座席を、上昇格納姿勢と下降使用姿勢とに揺動切り換え自在な状態で、かつ、前記肥料タンク及び前記繰り出し機構が前記倒伏取り付け状態にあれば、前記繰り出し機構又はこれの付属装置に当接して前記下降使用姿勢に下降しない状態に取り付けてある。
【００２９】
すなわち、肥料タンク及び繰り出し機構を倒伏取り付け状態にしたままであると、運転座席を上昇格納姿勢から下降姿勢に切り換えようとしても、運転座席が繰り出し機構又はこれの付属装置に当接して下降使用姿勢に切り換わらないものである。これにより、肥料タンク及び繰り出し機構を起立取り付け状態に戻さなければ、運転座席を下降使用姿勢に戻すことができなくて運転することができなくなる。
【００３０】
従って、本第８発明によれば、肥料タンク及び繰り出し機構を倒伏取り付け状態にしたままで作業をされないようにでき、しかも、運転座席を報知手段に利用して構造簡単に得られる。
【発明を実施するための最良の形態】
【００３１】
以下、本発明の実施例を図面に基づいて説明する。
図１，２に示すように、左右一対の操向操作自在な前車輪１、及び、左右一対の後車輪２が原動部３に位置するエンジン（図示せず）からの動力によって駆動されて自走し、かつ、原動部３の後方に位置する運転座席４が装備された運転部を備えた自走車体の車体フレーム５の後部に、リフトシリンダ６が装備されたリンク機構７を介して苗植付け装置１０を連結するとともに、前記エンジンからの駆動力を回転軸８を介して苗植付け装置１０に伝達するように構成し、自走車体の運転座席４の後側に肥料タンク２１が装備された施肥装置２０を設けて、施肥装置付きの乗用型田植機を構成してある。
【００３２】
この田植機は、複数条の稲苗の苗植付け作業を行なうとともに、複数条の植付け苗に対する施肥作業も同時に行なって行くものであり、リフトシリンダ６を操作すると、このリフトシリンダ６がリンク機構７を車体フレーム５に対して上下に揺動操作することにより、苗植付け装置１０をこれの機体下部に機体横方向に並んで付いている複数個の整地フロート１１が田面に接地した下降作業状態と、各整地フロート１１が田面から高く浮上した上昇非作業状態とに昇降操作する。苗植付け装置１０を下降作業状態にして自走車体を走行させると、苗植付け装置１０の機体後部に機体横方向に並んで位置する複数の苗植付け機構１２が、この苗植付け機構１２の苗植え運動に連動して機体横方向に往復移送される苗載せ台１３に載置されたマット状苗から一株分のブロック苗を切断するとともに取り出して下降し、整地フロート１１によって整地された田面に植え付けていく。これに伴い、施肥装置２０は、前記肥料タンク２１から粒状の肥料を取り出して複数本の施肥ホース２２を介して、苗植付け装置１０に植付け機体の横方向に並べて設けてある複数個の施肥器２３に各別に供給していく。各施肥器２３は、前記苗植付け機構１２の一つに対して１個ずつ対応するように配置して前記複数個の整地フロート１１に分散させて取り付けられており、各施肥器２３が田面の苗植付け機構１２による苗植付け箇所の横側近くに施肥溝を形成し、この施肥溝に前記施肥ホース２２からの肥料を供給していく。
【００３３】
前記施肥装置２０についてさらに詳述すると、図３，４，５などに示すように、この施肥装置２０は、自走車体の横方向に長い１個の前記肥料タンク２１、この肥料タンク２１の底部に自走車体横方向に並んで位置する複数の漏斗部それぞれに連結している繰り出し機構３０、各繰り出し機構３０の左右一対の送り出し口３１から延出している前記施肥ホース２２、各繰り出し機構３０の下端部の自走車体前方側に自走車体横方向に沿って位置する１本の送風管２４及び１本の回収管２５、送風管２４の一端側に連結している送風装置２６を備えて構成してある。
【００３４】
図４，５，６などに示すように、前記各繰り出し機構３０は、自走車体の車体フレーム５に支柱９ａなどで固定された施肥フレーム９に上端側が支持され、かつ、前記肥料タンク２１の漏斗部に上端側が連通している１個の繰り出しケース３２、この繰り出しケース３２の内部に１本のロール駆動軸３３を介して一体回転自在に架設した左右一対の繰り出しロール３４、この両繰り出しロール３４の上方を開閉するシャッター３５、前記左右一対の繰り出しロール３４の一方の繰り出しロール３４が位置する繰り出し通路３６と、他方の繰り出しロール３４が位置する繰り出し通路３６に対して各別に連通するように構成して前記繰り出しケース３２の下部に一体成形した左右一対の筒体部で成る前記左右一対の送り出し口３１を備えて構成してある
【００３５】
図３，５に示すように、各繰り出し機構３０の前記ロール駆動軸３３に対して施肥クラッチ（図示せず）を介して連動する１本の自走車体横向きの六角軸で成る回転伝動軸４１を各繰り出しケース３２の自走車体後方側に回転自在に設け、前記回転伝動軸４１に出力部材が連動している一対の一方向回転クラッチ４２の入力部材どうしをリンク機構４３によって連動させ、一方の一方向回転クラッチ４２の入力アーム４２ａに上端側が連結している連動ロッド４４の下端側を、後輪用伝動軸４５に装着された動力取り出し機構４６の出力クランクアーム４６ａに連動させて、繰り出し駆動機構４０を構成してある。すなわち、この繰り出し駆動機構４０は、後輪用伝動軸４５から回転駆動力を取り出し、この駆動力を往復動力に変換して回転伝動軸４１に伝達してこの回転伝動軸４１を一回転方向に駆動し、この駆動力を各繰り出し機構３０のロール駆動軸３３に伝達して各繰り出し機構３０の繰り出しロール３４を回転駆動するようになっている。
【００３６】
図６などに示すように、前記送風管２４は、各繰り出し機構３０の前記左右一対の送り出し口３１を構成している前記筒体部の自走車体前端側に連結して各繰り出し機構３０の繰り出しケース３２によって支持されるように、かつ、各繰り出し機構３０の前記左右一対の送り出し口３１に連通するように、各繰り出し機構３０の前記左右一対の送り出し口３１を構成している前記筒体部の自走車体前端側に連結してある。
【００３７】
図３，１０などに示すように、送風装置２６は、ブロワケースの自走車体前方側に電動モータ２６ｂを備えた電動ブロワで構成してある。送風装置２６のブロワケースの吸気口２６ｃから吸気ダクト２７をエンジン排気マフラーの付近まで延出させてあり、送風装置２６は、エンジン排気マフラーから出るエンジン排熱によって加熱されて常温よりも温度上昇した空気を吸気ダクト２７を介して吸引して風を発生させ、この温風を肥料搬送風として排気口２６ａから送風管２４に供給する。吸気ダクト２７は、車体フレーム５に固定のダクトホルダー（図示せず）に止着することにより、自走車体によって支持させてある。吸気ダクト２７と、送風装置２６の吸気口２６ｃとは、可撓性を備えるように蛇腹管に構成した可撓性ダクト２８によって接続してある。
【００３８】
図６に示すように、繰り出しケース３２の自走車体前方側に繰り出しケース３２と一体成形して設けた連結部３２ｂから取り出しケースを延出させて構成した残留物取り出し口３７、及び、この残留物取り出し口３７を前記連結部３２ｂで開閉するように構成した弁体３８を各繰り出し機構３０に設けてある。前記各弁体３８は、この弁体３８の回転支軸３８ａを繰り出しケース３２の外部から回転操作することによって開閉するように構成してある。
【００３９】
図４，６，７などに示すように、前記回収管２５の一端側を、送風管２４の送風装置２６が連結している側とは反対側に対して連結管５０を介して連通させ、回収管２５の途中を、各繰り出し機構３０の前記残留物取り出し口３７に連通させ、回収管２５の他端側に、Ｕ字状に屈曲した排出ダクトを接続して回収物排出口２５ｂを設けてある。回収管２５の前記回収物排出口２５ｂを構成している排出ダクトの端部に設けた蓋体５１により、回収物排出口２５ｂの蓋体５１を構成してある。この蓋体５１は、排出ダクトの端部に外嵌させ、外嵌に起因する弾性変形によって排出ダクトに止着させることによって回収物排出口２５ｂを閉じ状態にし、排出ダクトから取り外すことによって回収物排出口２５ｂを開き状態にするように構成してある。蓋体５１は、排出ダクトから取り外しても落下しないように連結具５１ａによって排出ダクトに連結してある。
【００４０】
回収管２５の前記回収物排出口２５ｂを構成している排出ダクトは、回収管２５に対して回動操作自在に連結してあり、回収物排出口２５ｂを回収管２５の本体に対してその軸芯まわりで回動操作することにより、図４に実線で示す如く回収物排出口２５ｂが送風装置２６の電動モータ２６ｂを囲う如く電動モータ２６ｂの周囲にコンパクトに収納した格納状態と、図４に二点鎖線で示す如く回収物排出口２５ｂがこれからの肥料回収が行いやすくなるように電動モータ２６ｂの下方に出た使用状態とに切り換わるようになっている。
【００４１】
図５，９に示すように、肥料タンク２１及び各繰り出し機構３０を支持する前記施肥フレーム９は、車体フレーム５に前記支柱９ａなどで固定された固定側フレーム６０と、各繰り出し機構３０の繰り出しケース３２にボルト連結されていて肥料タンク２１及び各繰り出し機構３０を支持している可動側フレーム６５とによって構成してある。可動側フレーム６５の各繰り出し機構３０の車体後方側近くに位置する部位に連結板部６６を設けてあり、可動側フレーム６５は、前記連結板部６６にて、前記固定側フレーム６０の上端部に位置する支持部に対して連結ピン５５を介して回動自在に連結してある。
これにより、肥料タンク２１と各繰り出し機構３０とは、一体となって前記連結ピン５５の車体横向きの軸芯５５ａまわりで自走車体に対して車体前後方向に揺動し、図５、図１０（イ）に示す如く可動側フレーム６５の車体横向きのメインフレーム部分６５ａが固定側フレーム６０の車体横向きの梁部分６０ａの上面側に当接して可動側フレーム６５がこれ以上は下降しないようにストップされたストロークエンドになって、肥料タンク２１と各繰り出し機構３０が車体上下方向に並ぶ状態に起立した起立取り付け状態になったり、図９、図１０（ロ）に示す如く可動側フレーム６５の前記メインフレーム部分６５ａの後端部位が固定側フレーム６０の前記梁部分６０ａの後端部の上面側に当接してこれ以上は上昇しないようにストップされたストロークエンドになって、肥料タンク２１が前記起立取り付け状態から車体後方側に揺動した状態で、かつ、各繰り出し機構３０が肥料タンク２１から車体前方向きにやや車体下方向きに突出する状態に倒伏した倒伏取り付け状態になるようになっている。送風管２４が各繰り出し機構３０の送り出し口３１に連結し、送風装置２６が送風管２４に連結し、回収管２５が送風管２４、及び、各繰り出し機構３０の残留物取り出し口３７に連結しており、肥料タンク２１と繰り出し機構３０が軸芯５５ａまわりで揺動する際、送風管２４も送風装置２６も回収管２５も肥料タンク２１及び繰り出し機構３０と一体になって肥料タンク２１や繰り出し機構３０と共に揺動する。
【００４２】
図５に示す如く肥料タンク２１及び繰り出し機構３０が前記起立取り付け状態にあれば、運転座席４の横側方に位置する作業用ステップ７２を車体側のステップ取り付け部から取り外そうとしても作業用ステップ７２が繰り出し機構３０の付属装置としての回収管２５に当接して外れないが、図９に示す如く肥料タンク２１及び繰り出し機構３０を前記倒伏取り付け状態に切り換えると、繰り出し機構３０の付属装置としての回収管２５や送風管２４が作業用ステップ７２の上面から上方に離間し、作業用ステップ７２を脱着するためにステップ取り付け部に対して昇降操作する作業用スペースを回収管２５や送風管２４の下方に確保できるようになっている。
【００４３】
図９にしめすように、車体フレーム５に運転座席４を支持するように固定された座席支持部材５８の後端部に突っ張り棒５７を設けてある。この突っ張り棒５７は、座席支持部材５８に対して回動操作することにより、座席支持部材５８に対して起立した使用取り付け状態と、この使用取り付け状態から車体前方側に倒伏して座席支持部材５８に沿って運転座席４の下方に格納された格納取り付け状態とに切り換えることができるようになっている。肥料タンク２１及び繰り出し機構３０を前記倒伏取り付け状態に切り換えた際、突っ張り棒５７を前記使用取り付け状態にするとともにこの突っ張り棒５７の遊端側を、前記可動側フレーム６５から車体前方側に延出しているアーム６７の先端側のフック部に係止させることにより、倒伏取り付け状態にした肥料タンク２１及び繰り出し機構３０を自重で起立取り付け状態に切り換わることがないように突っ張り棒５７によって突っ張り支持させることができるようになっている。すなわち、突っ張り棒５７を使用することにより、肥料タンク２１及び繰り出し機構３０を倒伏取り付け状態に突っ張り棒５７によってロックすることができ、突っ張り棒５７を格納取り付け状態に切り換えることにより、肥料タンク２１及び繰り出し機構３０を起立取り付け状態に戻すことができるように突っ張り棒５７によるロックを解除することができるようになっている。
【００４４】
苗植付け装置１０を下降作業状態に下降させた場合、図８に二点鎖線で示す如く肥料タンク２１及び繰り出し機構３０を起立取り付け状態から倒伏取り付け状態に切り換えようとしても、肥料タンク２１が苗植付け装置１０の苗載せ台１３の上端部から延出している延長苗載せ台１４に当接して肥料タンク２１及び繰り出し機構３０が倒伏取り付け状態に切り換わらないが、苗植付け装置１０を上昇非作業状態に上昇させた場合には、肥料タンク２１が延長苗載せ台１４に当接しなくて、肥料タンク２１及び繰り出し機構３０を倒伏取り付け状態に切り換えることができるようになっている。
すなわち、苗植付け装置１０を上昇非作業状態に上昇させてあれば、肥料タンク２１及び繰り出し機構３０を倒伏取り付け状態に切り換えることが許容されるが、苗植付け装置１０を下降作業状態に下降させてあれば、肥料タンク２１及び繰り出し機構３０を倒伏取り付け状態に切り換えることが延長苗載せ台１４によって牽制されるようになっている。
【００４５】
図８に示すように、運転座席４の座部４ａの前端側を、前記座席支持部材５８に対して軸芯５８ａまわりで回動自在に連結し、肥料タンク２１及び繰り出し機構３０を倒伏取り付け状態や起立取り付け状態に切り換える際、図８に二点鎖線で示す如く運転座席４を座部４ａが座席支持部材５８に載った下降使用姿勢になっていると、繰り出し機構３０の付属装置としての回収管２５が運転座席４の背当て部４ｃに当接して十分に上昇又は下降しなくて肥料タンク２１及び繰り出し機構３０が倒伏取り付け状態や起立取り付け状態に切り換わらないため、運転座席４を前記軸芯５８ａまわりで上昇揺動させて、座部４ａが車体上下向きになり、背当て部４ｃが下降使用姿勢の場合よりも車体前方側に移動して回収管２５が当接しなくなった上昇格納姿勢に切り換えた状態にしておいて、肥料タンク２１及び繰り出し機構３０を倒伏取り付け状態や起立取り付け状態に切り換えるようにしてある。
すなわち、肥料タンク２１及び繰り出し機構３０を倒伏取り付け状態に切り換えた場合、起立取り付け状態に戻さなければ、運転座席４を下降使用姿勢に戻すことができず、肥料タンク２１及び繰り出し機構３０を倒伏取り付け状態に切り換えたままになっていると、運転座席４を下降使用姿勢に戻すことができず、これによって、肥料タンク２１及び繰り出し機構３０が倒伏取り付け状態になっていると認識させることができるようになっている。
【００４６】
図６，１１に示すように、各繰り出し機構３０において、繰り出しケース３２を、繰り出しロール３４の回動軸芯Ｘを含む面を分割面Ｙとして、肥料タンク２１に連結した上部ケース部分３２ｃと、前記送り出し口３１を有する下部ケース部分３２ｄとに分割自在に構成するとともに、下部ケース部分３２ｄを、繰り出しケース３２に対して送風管２４及び回収管２５が位置する側とは反対側に位置する連結ピン３９を介して上下揺動自在に上部ケース部分３２ｃに対して連結してある。
すなわち、下部ケース部分３２ｄは、送風管２４が外れ、かつ、閉じフック７０が外れた状態にして連結ピン３９の車体横向きの軸芯３９ａを揺動軸芯にして上下に揺動操作することにより、図１１（ロ）に示す如く下部ケース部分３２ｄの開口Ａが開き、かつ、上部ケース部分３２ｃの開口Ｂを開いた下降開き状態と、図１１（イ）に示す如く下部ケース部分３２ｄの開口Ａも上部ケース部分３２ｃの開口Ｂも閉じた上昇閉じ状態とに切り換わるようになっている。前記下部ケース部分３２ｄを上昇閉じ状態にした場合、閉じフック７０を上部ケース部分ｃ２ｃの係合部７１に係止作用させて下部ケース部分３２ｄの閉じロックを行なうようになっている。
【００４７】
つまり、この施肥装置２０にあっては、肥料タンク２１及び繰り出し機構３０を起立取り付け状態にし、各繰り出し機構３０において、繰り出しケース３２を上昇閉じ状態になるとともに送風管２４が連結した状態にし、図６に実線で示す如くシャッター３５の操作ロッド５２を繰り出しケース３２に押し込み操作し、シャッター３５を収納部５３に入れて繰り出しロール３４の上方を開放しておくとともに、残留物取り出し口３７の弁体３８を閉じておき、図４に示す如く回収管２５の蓋体５１を取り付けて回収物排出口２５ｂを閉じておき、送風装置２６の電動モータ２６ｂをオンに操作することによって施肥作業を行なうようになっている。
すなわち、各繰り出し機構３０の繰り出しロール３４が繰り出し駆動機構４０によって後輪用伝動軸４５からの駆動力によって駆動され、繰り出しロール３４の周面に回転方向に並んでいる図６の如き繰り出し凹部３４ａによってこの繰り出し凹部３４ａの容積によって決まる設定量ずつで肥料タンク２１の肥料を送り出し口３１に繰り出す。これに伴い、送風装置２６が外気より温度が高い搬送風を送風管２４に供給し、このとき、送風管２４の送風装置側とは反対側から回収管２５に搬送風が流入するが、各残留物取り出し口３７が弁体３８で閉になり、回収管２５の回収物排出口２５ｂが蓋体５１で閉になっていて搬送風が回収管２５から外部に漏れ出ないことにより、送風管２４が送風装置２６からの搬送風を各繰り出し機構３０の各送り出し口３１に供給し、各繰り出し機構３０において、送り出し口３１に繰り出された肥料を順次、送風管２４からの搬送風によって施肥ホース２２に送り出して施肥器２３に供給していく。
【００４８】
また、肥料タンク２１や繰り出し機構３０に肥料が残留した場合、次の如くして回収管２５の回収物排出口２５ｂから取り出して回収することができるようになっている。
すなわち、図７に示す如く回収管２５の回収物排出口２５ｂを格納状態から使用状態に取り出すとともにこの回収管２５の蓋体５１を取り外して回収物排出口２５ｂを開けておき、送風装置２６の電動モータ２６ｂをオンに操作する。すると、送風装置２６が常温より高い温度の搬送風を送風管２４に供給し、その搬送風が送風管２４の送風装置側とは反対側から回収管２５に流入し、回収管２５の内部を風導入口２５ａが位置する側から回収物排出口２５ｂに向けて流動していく。各繰り出し機構３０において、図６に二点鎖線で示す如くシャッター３５の操作ロッド５２を繰り出しケース３２から引き出し操作し、シャッター３５を収納部５３から繰り出しロール３４の上方に引き出して繰り出しロール３４の上方を閉じて肥料が繰り出しロール３４に流下しないようにし、残留物取り出し口３７の弁体３８を開き操作する。すると、シャッター３５が収納部５３から出ても弁体３８の上方までは至らなくて残留物取り出し口３７を閉じないとともに、シャッター３５の操作ロッド５２が弁体３８の上方に位置しても残留物取り出し口３７を閉じないことにより、肥料タンク２１や繰り出しケース３２の繰り出しロール３４よりも上方に残留していた肥料が、残留物取り出し口３７から流下して回収管２５に入り込み、回収管２５を流動する送風管２４からの搬送風によって回収管２５の内部を搬送されて回収物排出口２５ｂから排出される。このとき、搬送風が回収管２５の絞り部２５ｃのために逆流しにくいことと、流動方向下手側に至るほど回収管２５の内径が大になっていることとによって回収管２５の内部をスムーズに流動して肥料を回収管内に残りにくいように搬送していく。
【００４９】
各繰り出し機構３０の点検などを行なうに当たり、肥料タンク２１及び繰り出し機構３０を倒伏取り付け状態に切り換え操作する。このとき、苗植付け装置１０を上昇非作業状態に上昇操作して、肥料タンク２１及び繰り出し機構３０を倒伏取り付け状態に切り換えることに対する延長苗載せ台１４による牽制を解除しておき、かつ、運転座席４を回収管２５の上昇障害にならないように上昇格納姿勢に切り換えておく。また、送風装置・が上昇するに伴って可撓性ダクト２８が撓むことにより、吸気ダクト２７は送風装置２６から分離させなくともよい。肥料タンク２１及び繰り出し機構３０が倒伏取り付け状態になると繰り出し機構３０が肥料タンク２１から車体前方向きに突出する状態になり、これにより、肥料タンク２１による繰り出し機構３０の上方の覆いが極力解除された状態になるとともに肥料タンク２１が繰り出し機構３０に対して運転座席４が位置する側とは反対側に位置する状態になり、運転部から繰り出し機構３０を取り扱い易くかつ見やすくなる。このとき、突っ張り棒５７を使用することにより、肥料タンク２１及び繰り出し機構３０を倒伏取り付け状態に固定することができる。
【００５０】
また、このとき、繰り出しケース３２の下部ケース部分３２ｄを下降開き状態に切り換え操作することにより、下部ケース部分３２ｄの開口Ａも上部ケース部分３２ｃの開口Ｂも開いて繰り出しケース３２の内部を点検や清掃しやすいように開くことができる。また、繰り出しロール３４を点検や清掃しやすいように繰り出しケース３２から取り出すことができる。
【００５１】
〔別実施形態〕
上記実施形態の如く、苗植付け装置１０が下降作業状態にあれば、肥料タンク２１及び繰り出し機構３０を倒伏取り付け状態に切り換えることが延長苗載せ台１４によって牽制されるように構成する他、苗植付け装置１０の苗載せ台１３や機体フレームなどから延出する専用の牽制部材によって牽制されるように構成しても、本発明の目的を達成できる。従って、延長苗載せ台１４、牽制部材などを総称して牽制手段１４と呼称する。
【００５２】
上記突っ張り棒５７に替え、ロックピンなどを採用しても本発明の目的を達成できるのであり、突っ張り棒５７、ロックピンなどを総称してロック手段５７と呼称する。
【００５３】
上記実施形態の如く運転座席４を上昇格納姿勢から下降使用姿勢に切り換える際、肥料タンク２１及び繰り出し機構３０が倒伏取り付け状態にあれば、運転座席４が回収管２５に当接して下降使用姿勢に切り換わらないように構成する他、運転座席４が送風管２４又は繰り出し機構３０に当接して下降使用姿勢に切り換わらないように構成することによっても、肥料タンク２１及び繰り出し機構３０の起立取り付け状態への戻し忘れを防止する手段として運転座席４を利用するという本発明の目的を達成できる。従って、回収管２５、送風管２４などを総称して繰り出し機構３０の付属装置２４と呼称する。
【図面の簡単な説明】
【００５４】
【図１】施肥装置付き乗用型田植機の全体の側面図
【図２】施肥装置付き乗用型田植機の全体の平面図
【図３】施肥装置の後面図
【図４】施肥装置の正面図
【図５】繰り出し機構の側面図
【図６】繰り出し機構の断面図
【図７】送風管及び回収管の概略断面図
【図８】延長苗載せ台の牽制作用を示す説明図
【図９】肥料タンク及び繰り出し機構の倒伏取り付け状態での側面図
【図１０】（イ）は、肥料タンク及び繰り出し機構を倒伏取り付け状態にした施肥装置の側面図、（ロ）は、肥料タンク及び繰り出し機構を起立取り付け状態にした施肥装置の側面図
【図１１】（イ）は、上部ケース及び下部ケースを閉じ状態にした繰り出し機構の側面図、（ロ）は、上部ケース及び下部ケースを開き状態にした繰り出し機構の側面図
【符号の説明】
【００５５】
４        運転座席
７        リンク機構
１０      苗植付け装置
１４      牽制手段
２０      施肥装置
２１      肥料タンク
２４      送風管
２５      付属装置
２６      送風装置
２６ｃ    送風装置の吸気口
２７      吸気ダクト
２８      可撓性ダクト
３０      繰り出し機構
３１      繰り出し機構の送り出し口
３２      繰り出しケース
３２ｃ    繰り出しケースの上部ケース部分
３２ｄ    繰り出しケースの下部ケース部分
５５ａ    肥料タンク及び繰り出し機構の揺動軸芯
５７      ロック手段
７２      作業用ステップ
【図１】
2005204540.tif 000003
【図２】
2005204540.tif 000004
【図３】
2005204540.tif 000005
【図４】
2005204540.tif 000006
【図５】
2005204540.tif 000007
【図６】
2005204540.tif 000008
【図７】
2005204540.tif 000009
【図８】
2005204540.tif 000010
【図９】
2005204540.tif 000011
【図１０】
2005204540.tif 000012
【図１１】
2005204540.tif 000013